(57)【要約】【課題】  鏝板の連結側の接合箇所に隙間ができることを防止して袖を傷めることなく、また内側と外側の鏝板の回動軌跡を同一にして袖を均一に綺麗にプレス仕上げできるようにする。【解決手段】  左右一対の袖立１に被せた袖２をプレス仕上げする左右一対のプレス鏝３と、この各プレス鏝３を形成する内側と外側の鏝板３ａ、３ｂが鏝板３ａ、３ｂごと設けられている縦軸４を中心に回動して開閉するよう駆動源５の動力を各鏝板３ａ、３ｂに伝えるリンク装置６とを備える。リンク装置６を、一方のプレス鏝３の外側の鏝板３ｂと他方のプレス鏝３の内側の鏝板３ａを一緒に開閉させる第１のリンク機構６ａと、他方のプレス鏝３の外側の鏝板３ｂと一方のプレス鏝３の内側の鏝板３ａを一緒に開閉させる第２のリンク機構６ｂとで形成する。各縦軸４を、鏝板３ａ、３ｂを上から見て同じ水平線Ｈ上に配置する。【選択図】      図１
2016198189.tif 000002
【特許請求の範囲】
【請求項１】
左右一対の袖立１に被せた袖２をプレス仕上げする左右一対のプレス鏝と、この各プレス鏝を形成する内側と外側の鏝板が鏝板ごと設けられている縦軸を中心に回動して開閉するよう駆動源の動力を各鏝板に伝えるリンク装置とを備えて形成されているシャツの袖仕上げ機のプレス機構であって、上記のリンク装置が、一方のプレス鏝の外側の鏝板と他方のプレス鏝の内側の鏝板を一緒に開閉させる第１のリンク機構と、他方のプレス鏝の外側の鏝板と一方のプレス鏝の内側の鏝板を一緒に開閉させる第２のリンク機構とで形成され、上記の各縦軸が、鏝板を上から見て同じ水平線上に配置されていることを特徴とするシャツの袖仕上げ機のプレス機構。
【請求項２】
請求項１記載のシャツの袖仕上げ機のプレス機構であって、第1のリンク機構が、一方のプレス鏝の外側の鏝板に一端が回動可能に取り付けられている第1リンク部材と、他方のプレス鏝の内側の鏝板に一端が回動可能に取り付けられている第２リンク部材と、この第２リンク部材と上記の第1リンク部材に架け渡されて第２リンク部材の他端に一端が回動可能に取り付けられていると共に、他端が第1リンク部材の略中程の位置に回動可能に取り付けられている第３リンク部材とで形成され、第２のリンク機構が、他方のプレス鏝の外側の鏝板に一端が回動可能に取り付けられている第４リンク部材と、一方のプレス鏝の内側の鏝板に一端が回動可能に取り付けられている第５リンク部材と、この第５リンク部材と上記の第４リンク部材に架け渡されて第５リンク部材の他端に一端が回動可能に取り付けられていると共に、他端が第４リンク部材の略中程の位置に回動可能に取り付けられている第６リンク部材とで形成されていることを特徴とするシャツの袖仕上げ機のプレス機構。
【請求項３】
請求項２記載のシャツの袖仕上げ機のプレス機構であって、第1リンク部材の他端が、駆動源としてのシリンダの一端側に回動可能に取り付けられ、第４リンク部材の他端が、上記シリンダの他端側に回動可能に取り付けられていることを特徴とするシャツの袖仕上げ機のプレス機構。
【発明の詳細な説明】
【技術分野】
【０００１】
本発明は、洗濯したワイシャツ等のシャツの袖を、袖立に被せた状態でプレス仕上げする袖仕上げ機に関し、更に詳しくは袖のプレス機構に関するものである。
【背景技術】
【０００２】
従来、この種のプレス機構としては、例えば特許文献１に記載されているものがある。この従来のプレス機構は、左右一対の袖立に被せた袖をプレス仕上げする左右一対のプレス鏝と、この各プレス鏝を形成する内側と外側の鏝板が鏝板ごと設けられている縦軸を中心に回動して開閉するよう駆動源の動力を各鏝板に伝えるリンク装置とを備えて形成されている。
【０００３】
この場合、従来のプレス機構は、図１１に示されるように、各プレス鏝ａを形成する内側の鏝板ａ１と、外側の鏝板ａ２が、プレス鏝ａごとに組まれているリンクｂ１、ｂ２、ｂ３の作用で、縦軸ｃ１、ｃ２を中心に回動して開閉するよう形成されていた。
即ち、従来のプレス機構は、駆動源ｄの動力が、左右のプレス鏝ａごとに分けられて伝達される仕組みであり、内側の鏝板ａ１の回動中心である縦軸ｃ２と、外側の鏝板ａ２の回動中心である縦軸ｃ１の位置が、上から見て上下にずらされていた。
【０００４】
従って、従来は、内側の鏝板と外側の鏝板の回動軌跡が異なったから、内側と外側の鏝板が開閉時にピタッと正確に合わされにくく、位置がずれて鏝板の接合箇所に隙間ができ易かった。
その結果、従来のプレス機構によると、上記の隙間に袖が挟まり、袖を傷めることがある、という問題点があった。
【０００５】
また従来は、上記の通り、内側と外側の鏝板の回動軌跡が異なるため、鏝板が袖に当たるタイミングが異なり、鏝板のプレス圧が、内側と外側の鏝板で異なるのを避けられなかった。
その結果、従来のプレス機構によると、袖の仕上がり状態を均一にできない、という問題点があった。
【先行技術文献】
【特許文献】
【０００６】
【特許文献１】特開２０００−７０５９７号公報
【発明の概要】
【発明が解決しようとする課題】
【０００７】
本発明は、このような従来技術の問題点に鑑み、提案されたものである。
従って、本発明の解決しようとする技術的課題は、プレス鏝を形成する内側と外側の鏝板の動きを同一にして、鏝板の連結側の接合箇所に隙間ができることを防止し、また内側と外側の鏝板のプレス圧を同一にして袖を均一に綺麗に仕上げることができるよう形成したシャツの袖仕上げ機を提供することにある。
【課題を解決するための手段】
【０００８】
本発明は、上記の課題を解決するため、次のような技術的手段を採る。
即ち、本発明は、図１等に示されるように、左右一対の袖立１に被せた袖２をプレス仕上げする左右一対のプレス鏝３と、この各プレス鏝３を形成する内側と外側の鏝板３ａ、３ｂが鏝板３ａ、３ｂごと設けられている縦軸４を中心に回動して開閉するよう駆動源５の動力を各鏝板３ａ、３ｂに伝えるリンク装置６とを備えて形成されているシャツの袖仕上げ機のプレス機構であって、上記のリンク装置６が、一方のプレス鏝３の外側の鏝板３ｂと他方のプレス鏝３の内側の鏝板３ａを一緒に開閉させる第１のリンク機構６ａと、他方のプレス鏝３の外側の鏝板３ｂと一方のプレス鏝３の内側の鏝板３ａを一緒に開閉させる第２のリンク機構６ｂとで形成され、上記の各縦軸４が、鏝板３ａ、３ｂを上から見て同じ水平線Ｈ上に配置されていることを特徴とする（請求項１）。
【０００９】
ここで、駆動源５としては、例えばシリンダやモータなどがある。また各縦軸４が、鏝板３ａ、３ｂを上から見て同じ水平線Ｈ上に配置されている、とは、鏝板３ａ、３ｂが、同じタイミングで一緒に開閉し、袖立１の両側を同じ圧力でプレスするよう形成されている、ということを意味する。
【００１０】
而して、本発明は、第１のリンク機構６ａが、一方のプレス鏝３の外側の鏝板３ｂに一端が回動可能に取り付けられている第1リンク部材６ａ１と、他方のプレス鏝３の内側の鏝板３ａに一端が回動可能に取り付けられている第２リンク部材６ａ２と、この第２リンク部材６ａ２と上記の第1リンク部材６ａ１に架け渡されて第２リンク部材６ａ２の他端に一端が回動可能に取り付けられていると共に、他端が第1リンク部材６ａ１の略中程の位置に回動可能に取り付けられている第３リンク部材６ａ３とで形成され、第２のリンク機構６ｂが、他方のプレス鏝３の外側の鏝板３ｂに一端が回動可能に取り付けられている第４リンク部材６ｂ１と、一方のプレス鏝３の内側の鏝板３ａに一端が回動可能に取り付けられている第５リンク部材６ｂ２と、この第５リンク部材６ｂ２と上記の第４リンク部材６ｂ１に架け渡されて第５リンク部材６ｂ２の他端に一端が回動可能に取り付けられていると共に、他端が第４リンク部材６ｂ１の略中程の位置に回動可能に取り付けられている第６リンク部材６ｂ３とで形成されているのが好ましい（請求項２）。
【００１１】
なぜならこれによると、第１のリンク機構６ａと第２のリンク機構６ｂの構造を簡単化でき、部品点数を節減でき、その分、組立コストや部品コストを抑えることができるからである。
【００１２】
またこの本発明の場合は、第1リンク部材６ａ１の他端が、駆動源５としてのシリンダの一端側５ａに回動可能に取り付けられ、第４リンク部材６ｂ１の他端が、上記シリンダの他端側５ｂに回動可能に取り付けられているのが好ましい（請求項３）。
【００１３】
なぜならこれによると、駆動源５としてのシリンダが駆動すると、第１のリンク機構６ａと、第２のリンク機構６ｂが同じ状態で一緒に駆動し、袖２の両側を同時に効率良くプレスできるからである。
【発明の効果】
【００１４】
本発明は、このように形成されているから、第１のリンク機構と第２のリンク機構が動作すると、左右のプレス鏝の内側と外側の鏝板が夫々の縦軸を中心に同じ軌跡で回動する。
従って、本発明の場合は、鏝板の接合箇所に隙間が生じにくくなるから、これによれば、隙間に袖が食い込んで袖を傷めることを防止できる。
【００１５】
また本発明は、内側と外側の鏝板が、夫々の縦軸を中心に一緒に開閉し、同じ圧力で袖をプレスすることができる。
従って、これによれば、袖を均一に綺麗にプレス仕上げできる。
【図面の簡単な説明】
【００１６】
【図１】本発明のプレス機構の好適な一実施形態を示す要部平面図である。
【図２】同上プレス機構を備えた袖仕上げ機の斜視図である。
【図３】同上プレス機構の背面から見た斜視図である。
【図４】同上プレス機構の背面から見た要部斜視図である。
【図５】同上プレス機構の背面から見た要部斜視図である。
【図６】同上プレス機構の要部平面図である。
【図７】同上プレス機構の要部平面図である。
【図８】同上プレス機構の背面から見た要部斜視図である。
【図９】同上プレス機構の要部平面図である。
【図１０】同上プレス機構の要部拡大平面図である。
【図１１】従来のプレス機構を示す要部平面図である。
【発明を実施するための形態】
【００１７】
以下、本発明の好適な一実施形態を、添付図面に従って説明する。
本発明のプレス機構は、図１等に示されるように、左右一対の袖立１に被せた袖２をプレス仕上げする左右一対のプレス鏝３と、この各プレス鏝３を形成する内側と外側の鏝板３ａ、３ｂが鏝板３ａ、３ｂごと設けられている縦軸４を中心に回動して開閉するよう駆動源５の動力を各鏝板３ａ、３ｂに伝えるリンク装置６とを備えて形成されている。
【００１８】
上記のプレス鏝３は、図２に示されるように、左右一対の袖立１の後側に設けられている。袖立１は、その上部のカフスセット部１ａに、袖２のカフス２ａを挟み付けるクランパー７が設けられている。また袖立１は、ベース部８に設けられている袖立用シリンダ９で、後方に傾倒され、内側と外側の２枚で一組の鏝板３ａ、３ｂの間に配置されるよう形成されている。
【００１９】
上記のリンク装置６は、図１等に示されるように、一方のプレス鏝３の外側の鏝板３ｂと他方のプレス鏝３の内側の鏝板３ａを一緒に開閉させる第１のリンク機構６ａと、他方のプレス鏝３の外側の鏝板３ｂと一方のプレス鏝３の内側の鏝板３ａを一緒に開閉させる第２のリンク機構６ｂとで形成されている。
【００２０】
第１のリンク機構６ａは、一方のプレス鏝３の外側の鏝板３ｂに一端が回動可能に取り付けられている第1リンク部材６ａ１と、他方のプレス鏝３の内側の鏝板３ａに一端が回動可能に取り付けられている第２リンク部材６ａ２と、この第２リンク部材６ａ２と上記の第1リンク部材６ａ１に架け渡されて第２リンク部材６ａ２の他端に一端が回動可能に取り付けられていると共に、他端が第1リンク部材６ａ１の略中程の位置に回動可能に取り付けられている第３リンク部材６ａ３とで形成されている。
【００２１】
また第２のリンク機構６ｂは、他方のプレス鏝３の外側の鏝板３ｂに一端が回動可能に取り付けられている第４リンク部材６ｂ１と、一方のプレス鏝３の内側の鏝板３ａに一端が回動可能に取り付けられている第５リンク部材６ｂ２と、この第５リンク部材６ｂ２と上記の第４リンク部材６ｂ１に架け渡されて第５リンク部材６ｂ２の他端に一端が回動可能に取り付けられていると共に、他端が第４リンク部材６ｂ１の略中程の位置に回動可能に取り付けられている第６リンク部材６ｂ３とで形成されている。
【００２２】
そして、第1リンク部材６ａ１の他端は、駆動源５としてのシリンダの一端側５ａとしてのロッドの先端に回動可能に取り付けられている。また第４リンク部材６ｂ１の他端は、駆動源５としてのシリンダの他端側５ｂとしての本体基端部に回動可能に取り付けられている。
【００２３】
第1リンク部材６ａ１〜第６リンク部材６ｂ３は、図３、図４等に示されるように、上下一対状に形成されている。１０は、上下の間隔を保持するためのピン状部材である。
【００２４】
また本発明の場合、上記の各縦軸４は、図１等に示されるように、鏝板３ａ、３ｂを上から見て同じ水平線Ｈ上に配置されている。鏝板３ａ、３ｂは、この縦軸４を中心に回動して開閉する。縦軸４は、図３、図４等に示されるように、上下平行一対状のカバー板１１に枢着されている。カバー板１１は、両側の柱材１２で固定されている。
【００２５】
また鏝板３ａ、３ｂは、図３、図５等に示されるように、その接合箇所１３がコイルバネ１４で牽引され、圧着されている。このコイルバネ１４は、２枚で一組の鏝板３ａ、３ｂの接合箇所１３に生じる隙間に、袖２が挟まれて破れる等の問題を防止するためのものである。各鏝板３ａ、３ｂは、その背面に水平板１５が上下に重合するよう固定されている。コイルバネ１４は、各水平板１５の端に立てられている突起１６に横架されている。
【００２６】
また上側の水平板１５には、長孔１７が弧状に形成され、この長孔１７に通されるピン１８が下側の水平板１５に立てられている。鏝板３ａ、３ｂは、長孔１７にピン１８が係合され、コイルバネ１４の牽引作用で接合箇所１３が常に圧着した状態で開閉するよう構成されている。
【００２７】
またこの実施形態の本発明は、上記のコイルバネ１４が経年劣化して機能が低下したとき、鏝板３ａ、３ｂの接合箇所１３に隙間ができないよう、ストッパーボルト１９（図１等参照）を備えて形成されている。このストッパーボルト１９は、鏝板３ａ、３ｂの連結側の外面に先端が当接されている。そして、ストッパーボルト１９は、第1リンク部材６ａ１、第４リンク部材６ｂ１に固定されている支持部２０に螺合され、コイルバネ１４の経たりに応じて位置を微調節できるよう、進退動作可能に設けられている。
【００２８】
次に、この実施形態の本発明の作用を説明する。
先ず、袖立用シリンダ９（図２参照）のロッドが収縮し、袖立１が後方に傾倒する。これにより、袖立１が、２枚で一組の鏝板３ａ、３ｂの間に配置される。
【００２９】
次に、図１に示される状態から、駆動源５としてのシリンダのロッドが延伸する。すると、図７、図８等に示されるように、第１のリンク機構６ａと第２のリンク機構６ｂが動作し、鏝板３ａ、３ｂが、夫々縦軸４を中心に回動して閉じる。これにより、鏝板３ａ、３ｂが袖立１の両側を圧着し、袖２がプレス仕上げされる。
【００３０】
具体的には、第1リンク部材６ａ１が、縦軸４を中心に、反時計方向に回動する。これにより、一方のプレス鏝３の外側の鏝板３ｂが閉じる。また同時に、第３リンク部材６ａ３が第２リンク部材６ａ２の他端を引き、第２リンク部材６ａ２が縦軸４を中心に反時計方向に回動する。これにより、他方のプレス鏝３の内側の鏝板３ａが閉じる。
【００３１】
また駆動源５としてのシリンダのロッドが延伸すると、第４リンク部材６ｂ１が、縦軸４を中心に時計方向に回り、他方のプレス鏝３の外側の鏝板３ｂが閉じる。また同時に、第６リンク部材６ｂ３が第５リンク部材６ｂ２の他端を引き、第５リンク部材６ｂ２が縦軸４を中心に時計方向に回動する。これにより、一方のプレス鏝３の内側の鏝板３ａが閉じる。
【００３２】
而して、本発明は、鏝板３ａ、３ｂの回動中心である縦軸４が、鏝板３ａ、３ｂを上から見て同じ水平線Ｈ上に配置されている。従って、本発明は、駆動源５としてのシリンダのロッドが伸縮すると、第１のリンク機構６ａと、第２のリンク機構６ｂの作用により、各プレス鏝３の鏝板３ａ、３ｂが同じタイミングで一緒に開閉し、同じ圧力で袖立１の両側を圧着し、袖２を均等にプレス仕上げする。
【００３３】
またこの実施形態ではコイルバネ１４が、鏝板３ａ、３ｂの接合箇所１３を牽引し、圧着している。従って、この実施形態の本発明によると、縦軸４が水平線Ｈ上に横並びされていることと相俟って、鏝板３ａ、３ｂの接合箇所１３に隙間を生じさせることがない。
【００３４】
また長期間の使用によって、コイルバネ１４が経年劣化してバネ力が低下しても、この実施形態の本発明はストッパーボルト１９が、鏝板３ａ、３ｂの連結側の外面に先端が当接するよう設けられている。
【００３５】
従って、コイルバネ１４のバネ力が、使用に連れ低下しても、本発明の場合は、鏝板３ａ、３ｂの接合箇所１３に隙間が生じない。従って、これによれば、袖２が上記の隙間で破損する事態を確実に防止できる。
【符号の説明】
【００３６】
１      袖立
２      袖
３      プレス鏝
３ａ    内側の鏝板
３ｂ    外側の鏝板
４      縦軸
５      駆動源
６      リンク装置
６ａ    第１のリンク機構
６ｂ    第２のリンク機構
Ｈ      水平線
【図１】
2016198189.tif 000003
【図２】
2016198189.tif 000004
【図３】
2016198189.tif 000005
【図４】
2016198189.tif 000006
【図５】
2016198189.tif 000007
【図６】
2016198189.tif 000008
【図７】
2016198189.tif 000009
【図８】
2016198189.tif 000010
【図９】
2016198189.tif 000011
【図１０】
2016198189.tif 000012
【図１１】
2016198189.tif 000013